(57)【要約】【課題】パネル静電容量を減少させるためにバス電極の幅を狭く形成し、位置合せ工程上の誤差を勘案して、前記バス電極のマージンを充分に設けて形成し、前記バス電極が放電空間の内部に侵入しないようにする、プラズマディスプレイ装置を提供する。【解決手段】本発明のプラズマディスプレイ装置は、上部基板に形成された第１の電極と、上部基板と対向する下部基板に形成されて放電空間を仕切る隔壁とを備え、第１の電極は、放電空間と重畳しないようにする。【選択図】図５
2007149627.tif 000002
【特許請求の範囲】
【請求項１】
上部基板に形成された第１の電極と、
前記上部基板と対向する下部基板に形成されて放電空間を仕切る隔壁とを備え、
前記第１の電極が、前記放電空間と重畳しないことを特徴とするプラズマディプレイ装置。
【請求項２】
前記上部基板が、前記第１の電極と並んで形成される第２の電極をさらに備え、前記第１の電極及び第２の電極が、前記放電空間と重畳しないことを特徴とする請求項１に記載のプラズマディプレイ装置。
【請求項３】
前記第１の電極が、金属バス電極であることを特徴とする請求項１に記載のプラズマディプレイ装置。
【請求項４】
前記第１の電極が、前記放電空間の外郭から所定のマージンを置いて離隔して形成されることを特徴とする請求項１に記載のプラズマディプレイ装置。
【請求項５】
前記所定のマージンが、２０μｍ以上２００μｍ以下であることを特徴とする請求項４に記載のプラズマディスプレイ装置。
【請求項６】
前記第１の電極の幅が、２０μｍ以上５０μｍ以下であることを特徴とする請求項１に記載のプラズマディスプレイ装置。
【請求項７】
前記隔壁には溝が形成されることを特徴とする請求項１に記載のプラズマディスプレイ装置。
【請求項８】
前記上部基板が、前記第１の電極から前記放電空間の内部に突出する突出部を有する透明電極をさらに備えることを特徴とする請求項１に記載のプラズマディスプレイ装置。
【請求項９】
前記透明電極の突出部は、Ｔ字状に突設される部分であることを特徴とする請求項８に記載のプラズマディスプレイ装置。
【請求項１０】
前記透明電極の突出部は、前記放電空間の内部に伸長する少なくとも二つの突出部から形成されることを特徴とする請求項８又は９に記載のプラズマディスプレイ装置。
【請求項１１】
下部基板に放電空間を仕切る少なくとも一つの隔壁と、
前記下部基板と対向する上部基板に形成された第１の電極及び第２の電極とを備え、
前記第１の電極または第２の電極の少なくともいずれか一つの電極が、前記放電空間と重畳しないように、前記隔壁の上部に形成され、
前記隔壁には溝が形成されることを特徴とするプラズマディスプレイ装置。
【請求項１２】
前記第１の電極及び第２電極が、前記放電空間の外郭から所定のマージンを置いて離隔して形成されることを特徴とする請求項１１に記載のプラズマディスプレイ装置。
【請求項１３】
前記所定のマージンが、２０μｍ以上２００μｍ以下であることを特徴とする請求項１２に記載のプラズマディスプレイ装置。
【請求項１４】
前記第１の電極及び第２の電極の幅が、２０μｍ以上５０μｍ以下であることを特徴とする請求項１１に記載のプラズマディスプレイ装置。
【請求項１５】
前記第１の電極及び第２の電極から放電空間の内部に突出した透明電極が、前記第１の電極及び第２の電極と重畳する第１の部分と、前記第１の部分から前記放電空間の内部に少なくとも一つの突出部が形成される第２の部分と、少なくとも一つの第２の部分を連結する第３の部分とを備えることを特徴とする請求項１１に記載のプラズマディスプレイ装置。
【請求項１６】
前記第１の部分は、全体領域が前記第１の電極または第２の電極と重畳して形成されることを特徴とする請求項１５に記載のプラズマディスプレイ装置。
【請求項１７】
前記第２の部分の幅が、放電セルの幅に対して５％以上３０％以下であることを特徴とする請求項１５に記載のプラズマディスプレイ装置。
【請求項１８】
第１の電極及び第１の電極と対向する第２の電極が形成される上部基板と、前記上部基板と対向して放電空間を形成する少なくとも一つの隔壁が形成される下部基板とを備え、
前記第１の電極及び第２の電極が、前記放電空間と重畳しないように、非放電空間に形成される第１の部分と、
前記第１の部分から前記放電空間の内部に少なくとも一つの突出部が形成される第２の部分とを備えることを特徴とするプラズマディスプレイ装置。
【請求項１９】
前記第１の電極及び第２の電極が、透明電極であることを特徴とする請求項１８に記載のプラズマディスプレイ装置。
【請求項２０】
前記第１及び第２の電極が、少なくとも一つの突出部が形成された前記第２の部分を連結する第３の部分をさらに備えることを特徴とする請求項１８に記載のプラズマディスプレイ装置。
【請求項２１】
前記第２の部分の幅が、放電セルの幅に対して５％以上３０％以下であることを特徴とする請求項１８に記載のプラズマディスプレイ装置。
【発明の詳細な説明】
【技術分野】
【０００１】
本発明は、プラズマディスプレイ装置に関し、より詳しくは、パネル静電容量を減少させるためのバス電極及び透明電極の構造に関する。
【背景技術】
【０００２】
一般に、プラズマディスプレイパネル（以下、「ＰＤＰ」という）は、ガス放電によって得られたプラズマから放射される真空紫外線ＶＵＶが、蛍光体を励起させることにより発生する赤緑青の可視光を用いて、所定の映像を表示するディスプレイ装置である。
【０００３】
前記プラズマディスプレイ装置は、走査電極及びアドレス電極間の対向放電により放電セルが選択され、前記走査電極及び維持電極間の面放電により画像が表示される。
【０００４】
プラズマディスプレイ装置の構成をより詳述すると、パネルは、上部基板及び該上部基板と対向する下部基板が結合されて形成され、前記上部基板には、走査電極と維持電極、及び誘電体層が形成されている。
【０００５】
前記下部基板には、複数個のアドレス電極と、前記アドレス電極を保護し絶縁を行うための誘電体層と、放電セルを仕切る隔壁と、前記誘電体層及び前記隔壁上に塗布され、プラズマ放電により可視光を放出する蛍光体層とが形成されている。
【０００６】
また、前記上部基板には、走査電極及び維持電極と、前記電極を保護し絶縁を行うための誘電体層とが形成され、前記走査電極及び維持電極は、それぞれバス電極及び透明電極で構成されている。
【０００７】
前記アドレス電極、前記走査電極及び維持電極のいずれか一つの電極に電圧が印加されることにより、アドレス放電が発生して放電セルが選択され、前記走査電極及び維持電極間において維持放電が発生されて画像が表示される。
【０００８】
以下、図１を参照して、このように構成されるプラズマディスプレイ装置における、従来のバス電極の構造を説明しながら、従来発明の問題点について説明する。
【０００９】
図１を参照すると、隔壁２３により放電空間が仕切られ、バス電極１１ｂは、前記放電空間から２０μｍ未満のマージンｍ１を置いて、隔壁の上部に形成される。また、従来、バス電極１１ｂの幅ｄ１は、５５〜８０μｍに形成される。
【００１０】
しかし、上部基板及び下部基板を結合してパネルを形成する工程において、前記上部基板または下部基板の位置合せが許容誤差を超えた場合、従来、バス電極１１ｂのマージンｍ１が充分に確保されなかったので、図１の右に示すように、前記バス電極が放電空間の内部に侵入して、可視光線が放射される発光面積が減少し、輝度が低くなるという問題があった。
【００１１】
さらに、以下、図２を参照して、従来、バス電極１１ｂと電気的に連結された透明電極１１ａの形状について説明する。
【００１２】
図２を参照すると、隔壁２３により放電空間が仕切られ、前記隔壁２３上にバス電極１１ｂが形成される。また、前記バス電極１１ｂから放電空間の内部に突出する透明電極１１ａが形成される。ここで、前記透明電極１１ａ及びバス電極１１ｂは、走査ドライバと連結される走査電極Ｙである。
【００１３】
特に、従来、透明電極１１ａ及びバス電極１１ｂは、重畳領域の断面積が広くなるように、例えば、図３に示すように、従来、透明電極１１ａの幅Ｔ１は、バス電極１１ｂの幅Ｔ２よりも広く形成される。前記透明電極１１ａの幅Ｔ１は、約１００μｍに形成され、前記バス電極１１ｂの幅Ｔ２は、約８０μｍに形成されている。
【００１４】
すなわち、前記走査ドライバから駆動信号を供給される金属バス電極１１ｂと前記透明電極１１ａとが重畳する断面積が広いほど、維持放電が円滑に発生するので、従来の発明では、図２及び図３に示すように、放電空間の内部に突出して透明電極１１ａの幅がさらに広く形成される部分を有する。
【００１５】
しかしながら、前記透明電極１１ａが前記バス電極１１ｂよりも幅広く形成されることにより、図２の点線に示した前記隔壁２３と重畳する面積もまた広くなるため、パネル静電容量が上がるという問題点があった。
【００１６】
前記パネル静電容量とは、電気場によるエネルギーを貯蔵し、電圧変動により電流が誘導される特性を有するパネルに形成される静電容量を等価的に表現したものである。
【００１７】
前記パネル静電容量が高いほど、消費電力が増加し、波形が歪むなどの問題点があるので、前記パネル静電容量を減少させるために、上部基板または下部基板に形成された電極の幅、電極間の間隔などの調整が望まれていた。
【発明の開示】
【発明が解決しようとする課題】
【００１８】
本発明の目的は、パネル静電容量を減少させると共に、位置合せ工程上の誤差を勘案して、前記バス電極が放電空間の内部に侵入しないようにする、プラズマディスプレイ装置を提供するところにある。
【課題を解決するための手段】
【００１９】
前記の目的を達成するために、本発明によるプラズマディスプレイ装置は、上部基板に形成された第１の電極と、前記上部基板と対向する下部基板に形成されて放電空間を仕切る隔壁とを備え、前記第１の電極は、前記放電空間と重畳しないように、所定のマージンを置いて前記隔壁上に形成される。
【００２０】
前記上部基板は、前記第１の電極と並んで形成される第２の電極をさらに備え、前記第２の電極もまた前記放電空間と重畳しないように、前記隔壁上に形成される。
【００２１】
前記第１の電極または第２の電極は、前記放電空間の外郭から所定のマージンを置いて離隔して形成され、前記所定のマージンは２０〜２００μｍ以内であることを特徴とする。
【００２２】
前記第１の電極及び第２の電極は、金属バス電極であり、バス電極の幅は５０μｍ以下に形成され、前記第１の電極または第２の電極の下部隔壁には、溝が形成されるので、パネル静電容量が減少する。
【００２３】
前記バス電極から放電空間の内部に突出した透明電極は、Ｔ字状に突設され、前記放電空間の内部に伸長する少なくとも一つの突出部が形成される。
【００２４】
前記透明電極は、前記バス電極と重畳する第１の部分と、前記第１の部分から前記放電空間の内部に少なくとも一つの突出部が形成される第２の部分と、前記第２の部分を電気的に連結する第３の部分とを備える。
【００２５】
前記第１の部分の幅は、前記バス電極の幅よりも小さく形成され、前記第２の部分の幅は、放電セルの幅に対して５〜３０％であることを特徴とする。
【発明の効果】
【００２６】
本発明によると、バス電極が高精細に形成され、放電空間と重畳しないように、所定のマージンを置いて隔壁の上部に形成されることにより、上部基板と下部基板の位置合せのずれによるバス電極の放電空間への侵入を防止することができるという効果がある。
【００２７】
また、バス電極から放電空間の内部に少なくとも一つの突出部が形成される透明電極が、走査電極または維持電極を形成し、前記透明電極の幅が前記バス電極よりも狭く形成されることにより、上部基板の電極による静電容量が減少するという効果がある。
【発明を実施するための最良の形態】
【００２８】
前記の目的以外に本発明の他の目的及び特徴は、添付図面を参照した実施形態についての説明を通じて明白に表れる。
【００２９】
以下、図４乃至図１１を参照して、本発明の実施の形態について説明する。
【００３０】
図４は、本発明によるＰＤＰの構成を示す斜視図である。前記ＰＤＰ（プラズマディスプレイパネル）の走査電極と維持電極は、放電セル単位にそれぞれ配置されているが、便宜上、一つずつ図示した。
【００３１】
先ず、上部基板３０には、走査電極Ｙ及び維持電極Ｚが形成され、前記走査電極Ｙ及び維持電極Ｚに隣接して、上部誘電体層３３が積層される。また、前記上部誘電体層３３を保護するための保護層３４が設けられている。
【００３２】
前記下部基板４０には、前記上部基板３０に形成された走査電極Ｙ及び維持電極Ｚと対向するアドレス電極Ｘと、前記アドレス電極上に積層される下部誘電体層４２が形成される。また、前記下部誘電体層４２及び放電空間を仕切る隔壁４３上に蛍光体４４が塗布される。
【００３３】
アドレス期間の間、前記走査電極Ｙ及び前記アドレス電極Ｘ間に対向放電が発生され、放電セルが選択され、維持期間の間、前記走査電極Ｙ及び維持電極Ｚ間に面放電が発生され、前記放電により真空紫外線ＶＵＶが発生され、前記放電空間の内部に塗布された蛍光体４４が励起・発光されて画像が表示される。
【００３４】
図５は、本発明の第１の実施の形態によるバス電極の構造を示す。
【００３５】
前記金属バス電極３１ｂは、位置合せ工程でのずれにより、バス電極が放電空間の内部に侵入することを防止するために、充分なマージンｍ２を置いて非放電空間上に対向して形成される。
【００３６】
図５に示したバス電極のいずれか一つは、図示しなかった走査ドライバから駆動信号を供給される走査電極Ｙであり、残りの一つは、図示しなかった維持ドライバから駆動信号を供給される維持電極Ｚである。
【００３７】
この際、前記バス電極３１ｂは、前記放電空間の外郭から所定のマージンｍ２を置いて離隔して形成されるが、これは、２０〜２００μｍ以内であることが好ましい。現工程の水準からみて、前記位置合せ工程での誤差は約２０μｍ以内であるので、前記バス電極のマージンｍ２は２０μｍ以上であり、隣接した放電セルの非放電空間の距離を勘案して、２００μｍ以下であることが好ましい。
【００３８】
また、前記バス電極３１ｂのマージンｍ２が、従来に比べて長く確保されるので、前記バス電極間の間隔も、従来に比べて増加して放電効率が向上し、両電極間の静電容量が減少する。
【００３９】
また、前記バス電極３１ｂの幅ｄ２は、５０μｍ以下の高精細に形成されることが好ましく、これによって、両電極間の静電容量が減少する。前記バス電極３１ｂの幅ｄ２は、前記所定のマージンｍ２以下であることが可能である。即ち、プラズマディスプレイパネルの第１の電極としてのバス電極３１ｂ（Ｚ）又は３１ｂ（Ｙ）の幅ｄ２は、放電空間の外郭からの距離である所定のマージンｍ２以下とすることが可能である。また、プラズマディスプレイパネルの第１の電極としてのバス電極３１ｂ（Ｚ）及び３１ｂ（Ｙ）の幅ｄ２は、放電空間の外郭からの距離である所定のマージンｍ２以下とすることが可能である。例えば、バス電極３１ｂの幅ｄ２は、位置合わせ工程での誤差２０μｍを考慮して、２０μｍ以上５０μｍ以下に形成することが可能である。
【００４０】
図６は、本発明の第２の実施の形態によるバス電極を示す平面図である。これは、図５に示した第１の実施の形態によるバス電極と類似しているが、前記金属バスが形成される下部隔壁に溝Ｇが形成されることが特徴である。
【００４１】
第２の実施の形態によるバス電極３１ｂは、放電空間と重畳しないように非放電空間上に対向して形成され、前記放電空間の外郭から所定のマージンｍ２を置いて離隔して形成されるが、これが２０〜２００μｍ以内であることは第１の実施の形態と同様である。
【００４２】
また、第２の実施の形態によるバス電極３１ｂの幅ｄ２は、５０μｍ以下の高精細に形成されることが好ましく、前記バス電極の幅が５５μｍ以上に形成される従来の場合よりも、前記バス電極間に形成される静電容量が減少する。
【００４３】
また、第２の実施の形態では、前記バス電極３１ｂが形成された下部に位置する隔壁４３に溝が形成されるので、図６に示すように、前記バス電極の下部には、隔壁の代わりに誘電率の低い空気が存在する空間（ｖａｃａｎｃｙ）が形成される。
【００４４】
図７は、第２の実施の形態によるパネルを示す断面図であり、下部基板４０には、アドレス電極Ｘ及び誘電体層４２が形成され、前記誘電体層に隔壁４３が形成されて放電空間を仕切る。この際、前記隔壁４３には溝Ｇが形成されているので、前記溝によって、前記隔壁の誘電率が低くなり、これによって下部基板の静電容量が低くなる。
【００４５】
上部基板３０には、走査電極Ｙ及び維持電極Ｚが形成され、前記電極上に積層される誘電体層３３及び保護層３４が形成される。この際、前記走査電極Ｙ及び維持電極Ｚをなすバス電極３１ｂは、前記溝Ｇの上部に位置するように形成され、透明電極３１ａは、前記バス電極３１ｂから放電空間の内部に突設される。
【００４６】
上述したように、第１及び第２の実施の形態によるプラズマディスプレイ装置は、バス電極３１ｂの幅ｄ２が５０μｍ以下の高精細に形成され、位置合せ工程上の誤差を勘案して、前記バス電極のマージンｍ２が充分に確保されて形成されるので、前記バス電極が放電空間の内部に侵入することを防止する。また、前記バス電極の下部隔壁４３に溝Ｇが形成されるので、パネルの静電容量が減少するという効果がある。
【００４７】
図８乃至図１１は、図５に示した第１の実施の形態による金属バス電極、また、図６に示した第２の実施の形態による金属バス電極から放電空間の内部に突出する透明電極の形状を示す図である。図８乃至図１１は、それぞれ第３乃至第６の実施の形態による透明電極の形状を示す。
【００４８】
先ず、図８を参照すると、第３の実施の形態は、走査電極Ｙまたは維持電極Ｚのいずれか一つの透明電極３１ａのみがＴ字状に突設され、図９を参照すると、第２の実施の形態は、走査電極Ｙまたは維持電極Ｚのうち、それぞれの透明電極３１ａがＴ字状に突出対向して形成される。
【００４９】
金属バス電極３１ｂと電気的に連結される前記透明電極３１ａは、Ｔ字状に前記放電空間の内部に突出する突出部が少なくとも一つ形成され、前記透明電極３１ａは、前記バス電極３１ｂと重畳する第１の部分３１−１と、前記第１の部分から前記放電空間の内部に少なくとも一つの突出部が形成される第２の部分３１−２とを備えて構成される。
【００５０】
このように構成される透明電極３１ａの構造は、図８に示した第３の実施の形態のように、上部基板に設けられたいずれか一つの電極にのみ適用され、残りの透明電極の構造は、本実施の形態により限定されない。
【００５１】
この際、放電空間の内部に突出した透明電極は対向しており、各バス電極３１ｂから供給された駆動信号により前記透明電極間において維持放電が発生する。
【００５２】
また、前記透明電極の構造は、図９に示した第４の実施の形態のように、上部基板に設けられた走査電極Ｙ及び維持電極Ｚのそれぞれの透明電極３１ａが、放電空間に向けてＴ字状に突出対向して形成される。
【００５３】
この際、第３及び第４の実施の形態による透明電極３１ａは、前記バス電極３１ｂと重畳する第１の部分３１−１の幅Ｔ１’が、前記バス電極の幅Ｔ２’よりも小さく形成されるので、前記第１の部分３１−１は、前記バス電極３１ｂの外郭へ突出しない。即ち、透明電極３１ａの第１の部分３１−１は、バス電極３１ｂにより完全に覆われる。
【００５４】
また、前記第２の部分３１−２の幅Ｂは、前記放電セルの幅Ａに対して５〜３０％であり、点線に示す前記隔壁４３と重畳する領域の断面積が従来に比べて、大きく減少してパネル静電容量が減少する。
【００５５】
また、前記透明電極の第２の部分３１−２が、Ｔ字状に形成されるので、維持放電を引き起こす相対電極との対向面積が広くなり、放電効率が向上する。
【００５６】
図１０を参照すると、第５の実施の形態は、走査電極Ｙまたは維持電極Ｚのいずれか一つの透明電極３１ａ’にのみ少なくとも二つの突出部がＴ字状に形成され、図１１を参照すると、第６の実施の形態は、走査電極Ｙ及び維持電極Ｚのうち、それぞれの透明電極３１ａ’に少なくとも二つの突出部がＴ字状に形成される。
【００５７】
図１０に示した電極を走査電極Ｙとすると、前記走査電極をなす金属バス電極３１ｂ’は、放電空間と重畳しないように、非放電空間に形成され、前記バス電極３１ｂ’と電気的に連結される前記透明電極３１ａ’は、Ｔ字状であり、前記放電空間の内部に突出する突出部が少なくとも二つ形成される。
【００５８】
このような透明電極３１ａ’は、前記バス電極３１ｂ’と重畳する第１の部分３１−１と、前記第１の部分から前記放電空間の内部に少なくとも二つの突出部が形成される第２の部分３１−２と、前記第２の部分を連結する第３の部分３１−３とを備えて構成される。
【００５９】
このように構成される透明電極３１ａ’の構造は、図１０に示した第５の実施の形態のように、上部基板に設けられたいずれか一つの電極にのみ適用され、残りの透明電極の構造は、本実施の形態により限定されない。
【００６０】
この際、放電空間の内部に突出した透明電極は対向しており、各バス電極３１ｂ’から供給された駆動信号により前記透明電極間において維持放電が発生する。
【００６１】
また、図１１に示した第６の実施の形態のように、上部基板に設けられた走査電極Ｙ及び維持電極Ｚの透明電極に、それぞれ少なくとも二つの突出部がＴ字状に形成される。
【００６２】
この際、第３及び第４の実施の形態による透明電極３１ａ’は、前記バス電極３１ｂ’と重畳する第１の部分３１−１の幅Ｔ１’が、前記バス電極の幅Ｔ２’よりも小さく形成されるので、前記第１の部分３１−１は、前記バス電極３１ｂ’の外郭へ突出しない。即ち、透明電極３１ａ’の第１の部分３１−１は、幅方向に於いて、バス電極３１ｂ’により完全に覆われる。
【００６３】
また、前記第２の部分３１−２の幅の和ｂ１＋ｂ２は、前記放電セルの幅Ａに対して５〜３０％であって、従来の発明に比べ、前記隔壁４３と重畳する領域の断面積が減少して、パネル静電容量が減少する。
【００６４】
以上、本発明によるプラズマディスプレイ装置を図面を参照して説明したが、本明細書に開示された実施の形態と図面により本発明が限定されるものではなく、本発明の技術思想が保護される範囲内で当業者によって応用が可能である。
【産業上の利用可能性】
【００６５】
本発明は、ＰＤＰ関連の技術分野に適用可能である。
【図面の簡単な説明】
【００６６】
【図１】従来のプラズマディスプレイ装置のバス電極を示す平面図である。
【図２】従来のプラズマディスプレイ装置のバス電極及び透明電極を示す平面図である。
【図３】従来のバス電極に対する透明電極の幅を示す平面図である。
【図４】本発明によるＰＤＰの構成を示す斜視図である。
【図５】本発明の第１の実施の形態によるプラズマディスプレイ装置のバス電極を示す平面図である。
【図６】本発明の第２の実施の形態によるプラズマディスプレイ装置のバス電極を示す平面図である。
【図７】本発明の第２の実施の形態によるバス電極及び隔壁の形状を示す断面図である。
【図８】本発明の第１の実施の形態によるバス電極及び透明電極を示す平面図である。
【図９】本発明の第２の実施の形態によるバス電極及び透明電極を示す平面図である。
【図１０】本発明の第３の実施の形態によるバス電極及び透明電極を示す平面図である。
【図１１】本発明の第４の実施の形態によるバス電極及び透明電極を示す平面図である。
【符号の説明】
【００６７】
３０  上部電極
３３  上部誘電体層
３４  保護層
４０  下部電極
４２  下部誘電体層
４３  隔壁
４４  蛍光体
Ｘ  アドレス電極
Ｙ  走査電極
Ｚ  維持電極
Ｇ  溝
３１ａ、３１ａ’  透明電極
３１ｂ、３１ｂ’  バス電極
３１−１  第１の部分
３１−２  第２の部分
３１−３  第３の部分
【図１】
2007149627.tif 000003
【図２】
2007149627.tif 000004
【図３】
2007149627.tif 000005
【図４】
2007149627.tif 000006
【図５】
2007149627.tif 000007
【図６】
2007149627.tif 000008
【図７】
2007149627.tif 000009
【図８】
2007149627.tif 000010
【図９】
2007149627.tif 000011
【図１０】
2007149627.tif 000012
【図１１】
2007149627.tif 000013